(57)【要約】      （修正有）【課題】２本の角型鋼管補強材を、上下平行、上下直交、左右平行、左右直交、或いは、夫々任意角度で簡単に締結することができる自在連結具を提供する。【解決手段】角型鋼管補強材自在連結具は、中心部に連結孔Ａが穿設された基台Ａの両側面から一対の抱持板Ａが対向して立設されており、前記連結孔Ａの全周縁から前記抱持板Ａとは反対方向に立設した円筒が連結孔Ｂを貫通してフランジ状に拡径され、保持体Ｂと回動自在に枢結されている保持体Ａと、中心部に前記連結孔Ａより大径の連結孔Ｂが穿設された基台Ｂの両側面から一対の抱持板Ｂが対向して立設された保持体Ｂと、角型鋼管Ｘ、Ｙを保持体Ａ及び保持体Ｂに装着後、角型鋼管を固定する楔５と、からなる。【選択図】図５
0003209707.tif 000002
【実用新案登録請求の範囲】
【請求項１】
コンクリート打設工事において型枠支保工に用いられる角型鋼管補強材の端部近傍を連結するための補強材連結具であって、
中心部に連結孔Ａが穿設された基台Ａの両側面から一対の抱持板Ａが対向して立設されており、前記連結孔Ａの全周縁から前記抱持板Ａとは反対方向に立設した円筒が連結孔Ｂを貫通してフランジ状に拡径され、保持体Ｂと回動自在に枢結されている保持体Ａと、
中心部に前記連結孔Ａより大径の連結孔Ｂが穿設された基台Ｂの両側面から一対の抱持板Ｂが対向して立設された保持体Ｂと、
前記角型鋼管を前記保持体Ａ及び保持体Ｂに装着後、前記角型鋼管を固定する楔と、
からなることを特徴とする角型鋼管補強材自在連結具。
【請求項２】
前記基台Ｂから立設された少なくとも一方の抱持板Ｂは、前記基台Ｂと回動自在に立設されていることを特徴とする請求項１に記載の角型鋼管補強材自在連結具。
【請求項３】
前記抱持板Ａ叉は抱持板Ｂは、前記楔を着脱自在に挿入する少なくとも一対の長孔が、前記抱持板Ａ叉は抱持板Ｂの長辺と平行に貫設されていることを特徴とする請求項１叉は２に記載の角型鋼管補強材自在連結具。
【請求項４】
前記楔は、鎖叉は紐により前記抱持体Ａ叉は抱持体Ｂに連結されていることを特徴とする請求項１〜３のいずれかに記載の角型鋼管補強材自在連結具。
【考案の詳細な説明】
【技術分野】
【０００１】  本考案は、コンクリート打設工事において型枠支保工に用いられる角型鋼管補強材の端部相互を連結するための、角型鋼管補強材自在連結具（以下、自在連結具という）に関する。
【背景技術】
【０００２】  従来、コンクリート打設工事において型枠支保工に用いられる補強材を直角に連結する連結具がある。例えば、直交クランプ型と自在クランプ型とを兼用しながら、組付け連結した管材連結用クランプ金具が開示されている（特許文献１参照）。また、各種仮設足場等を組立及び分解できる直交クランプ金具が開示されている（特許文献２参照）。
【先行技術文献】
【特許文献】
【０００３】
【特許文献１】特開平８−１２８１９４号公報
【特許文献２】特開平１０−８８７９１号公報
【考案の概要】
【考案が解決しようとする課題】
【０００４】  特許文献１に記載の管材連結用クランプ金具は、クランプ金具本体を  ２個背中合せに回動自在に連結して、そのうちの一方にクランプ金具本体同士の回動を阻止するストッパーを揺動自在に取付け、他方には、そのストッパーに係合する係合部を設けておき、クランプ金具により足場用パイプをクランプして締付けた際に、ストッパーがその締付けに伴って若干移動してストッパーと係合部との係合解除を阻止できるようにして完全に係合するように形成したものである。しかしながら、クランプ金具にパイプを固定するために、ナット受部に締結ネジを取付てナット締めするという手間の掛かるものであった。【０００５】  特許文献２に記載の直交クランプ金具は、適宜長さを有する角パイプ状クランプ本体の一方の相対向するクランプ板の一端部に、一方の丸パイプＡのパイプ嵌込部を設け、且つ他方の相対向するクランプ板の他端部に、他方の丸パイプＢのパイプ嵌込部を設け、クランプ本体内の固定板両面中心部には、各丸パイプＡ，Ｂの各固定孔Ｃに嵌入する固定突起１３を夫々取付け、他方の相対向する他のクランプ板の一端部側と、一方の相対向する他のクランプ板の他端部側とには、各丸パイプＡ，Ｂのパイプ挾込部付き締付挟持体の基端部を、内側の係止板の先端が弾撥手段を介してクランプ板の係止孔に係脱自在に係止されるように揺動自在に夫々支持したものである。しかしながら、この直交クランプ金具は、各パイプの円周面に所定間隔で固定孔を穿設した直交するパイプを固定する専用金具であるため、取付位置が指定されているので汎用性がなく、クランプ金具も複雑な構造となっており、実用性に欠けるものである。【０００６】  本考案は、前記課題を解決するために成されたものであり、２本の角型鋼管補強材を、上下平行、上下直交、左右平行、左右直交、或いは、夫々任意角度で簡単に着脱自在に固定することができる自在連結具を提供するものである。
【課題を解決するための手段】
【０００７】  本考案の自在連結具は、中心部に連結孔Ａが穿設された基台Ａの両側面から一対の抱持板Ａが対向して立設されており、前記連結孔Ａの全周縁から前記抱持板Ａとは反対方向に立設した円筒が連結孔Ｂを貫通してフランジ状に拡径され、保持体Ｂと回動自在に枢結されている保持体Ａと、中心部に前記連結孔Ａより大径の連結孔Ｂが穿設された基台Ｂの両側面から一対の抱持板Ｂが対向して立設された保持体Ｂと、前記角型鋼管を前記保持体Ａ及び保持体Ｂに装着後、前記角型鋼管を固定する楔と、から構成されている。【０００８】  本考案の自在連結具は、前記基台Ｂから立設された少なくとも一方の抱持板Ｂは、前記基台Ｂと回動自在に立設されている。また、前記抱持板Ａ叉は抱持板Ｂは、前記楔を着脱自在に挿入する少なくとも一対の長孔が、前記抱持板Ａ叉は抱持板Ｂの長辺と平行に貫設されている。また、前記楔は、鎖叉は紐により前記抱持体Ａ叉は抱持体Ｂに連結されている。
【考案の効果】
【０００９】  本考案の自在連結具は上記のように構成されているので、２本の角型鋼管補強材を、上下平行、上下直交、左右平行、左右直交、或いは、夫々任意角度で簡単に着脱自在に固定することができる。また、基台Ｂから立設された少なくとも一方の抱持板Ｂは、前記基台Ｂと回動自在に立設されているので、前記抱持板Ｂを基台Ｂと平行になるように開放すると、角型鋼管補強材の装入が容易となる。また、前記前記抱持板Ａ叉は抱持板Ｂの長辺と平行に楔挿入用の長孔が貫設されているので、この長孔に楔を挿入することにより前記角型鋼管補強材を容易に固定することができる。また、前記前記抱持板Ａ叉は抱持板Ｂに鎖叉は紐などにより楔が連結されているので、楔の脱落や紛失を防止することができる。
【図面の簡単な説明】
【００１０】
【図１】  本考案の自在連結具の実施形態を示す正面図である。
【図２】  図１の右側面図である。
【図３】  図２のＡ−Ａ拡大断面図である。
【図４】  本考案の自在連結具で角型鋼管補強材を締結する実施形態を示す説明図であり、（ａ）は上下平行、（ｂ）は上下直交、（ｃ）は左右平行、（ｄ）は左右直交、（ｅ）は任意角度、を示したものである。
【図５】  本考案の楔と抱持板の取付状態を示す斜視図である。
【考案を実施するための形態】
【００１１】  以下、本考案の実施形態について図面を参照して詳細に説明する。図１は本考案の自在連結具の実施形態を示す正面図、図２は図１の右側面図、図３は図２のＡ−Ａ拡大断面図である。図１〜図３において、自在連結具１は、保持体Ａ２と保持体Ｂ３と楔５より構成されている。保持体Ａ２は金属製であり、中心部に連結孔Ａ２２が穿設された基台Ａ２１の両側面から一対の抱持板Ａ２３が対向して立設されている。
前記保持体Ａ２の基台２１には、連結孔Ａ２２の全周縁から前記抱持板Ａ２３とは反対方向に立設した円筒２４が連結孔Ｂ３２を貫通してフランジ状３４に拡径され、保持体Ｂ３と回動自在に枢結されている。なお、前記保持体Ａ２に代えて、前記保持体Ｂ３にフランジ状を設けてもよい。
【００１２】  保持体Ｂ３は金属製であり、中心部に前記連結孔Ａ２２よりも大径の連結孔Ｂ３２が基台Ｂ３１に穿設されている。
また、前記基台Ｂ３１の両側面から一対の抱持板Ｂ３３が対向して立設されている。これにより、保持体Ａ２と保持体Ｂ３は、相互に回動自在に枢結される。
【００１３】  前記基台Ｂ３１の端部から立設された一方の抱持板Ｂ３３は、前記基台Ｂ３１の端部と抱持板Ｂ３３の端部が蝶番３４で回動自在に連結されている。該蝶番３４を前記基台Ｂ３１と矢印に示すように平行となる方向に枢動すると、前記一対の抱持板Ｂ３３の開口角が略９０度から略１８０度まで拡大するので、角型鋼管補強材Ｘ叉はＹを自在連結具１に極めて容易に装着することができる。なお、前記蝶番３４は、前記両方の抱持板Ｂ３３に設けてもよい。
【００１４】  図４は、本考案の自在連結具で角型鋼管補強材を締結する実施形態を示す説明図であり、（ａ）は上下平行、（ｂ）は上下直交、（ｃ）は左右平行、（ｄ）は左右直交、（ｅ）は任意角度、を示したものである。このように、本発明の自在連結具１は多用途に適用できるため、従来品のように多種類の連結具を準備することなく、１種類の自在連結具を準備すれば、殆どの締結箇所に適用できるので便利である。
【００１５】  前記抱持板Ａ２３及び抱持板Ｂ３３には、楔４を着脱自在に挿入するために一対又は２対の長孔４１が長辺方向と平行に貫設されている。この長孔は、一方の長孔が他方の長孔より長く形成されている。
【００１６】  図５は、本考案の楔５と抱持板Ａ２３及び抱持板Ｂ３５の取付状態の一例を示す斜視図である。図５において、楔５は金属製であり、上辺５１、底辺５２、側辺５３及び斜辺５４よりなる四辺形であり、上辺５１と側辺５３で囲まれる角度は直角に形成されている。なお、前記底辺５２を無くして三角形としても良く、上辺５１、底辺５２、側辺５３及び斜辺５４の長さを適宜変更することも可能である。前記楔５は、鎖６により抱持板Ａ２３及び抱持板Ｂ３３に連結することが好ましい。これにより、作業中や保管中における楔４の脱落や紛失を防止することができる。なお、図５では、抱持板Ｂ２３及び抱持板Ｂ３３に二対の長孔４が描かれているが、一対としてもよい。また、鎖６に連結した楔５は１組が描かれているが、長孔４の設置数（図５では二対）に対応した数の、鎖６に連結した楔５を設けることになる。
【産業上の利用可能性】
【００１７】  本考案の自在連結具は、コンクリート打設工事において型枠支保工に用いられる角型鋼管補強材の端部相互を連結する際に有効に活用することができる。
【符号の説明】
【００１８】１  自在連結具、２  保持体Ａ、２１  基台Ａ、２２  連結孔Ａ，２３  抱持板Ａ、
２４  円筒、２５  フランジ状、３  保持体Ｂ、３１  基台Ｂ、３２  連結孔Ｂ、
３３  抱持板Ｂ、３４  蝶番、４  長孔、５  楔、５１  上辺、５２  底辺、
５３  側辺、５４  斜辺、６  鎖、Ｘ，Ｙ  角型鋼管補強材
【図１】
0003209707.tif 000003
【図２】
0003209707.tif 000004
【図３】
0003209707.tif 000005
【図４】
0003209707.tif 000006
【図５】
0003209707.tif 000007